(57)【要約】【課題】半田バンプ、Ｃｕピラー、Ａｕスタッドバンプのような導電体等を収納物として凹部内に収納することで、かかる収納物を保護することができる樹脂構造体を提供すること。【解決手段】本発明の樹脂構造体１１０は、平板状をなす基材１０１と、該基材１０１の少なくとも一方の面に形成され、樹脂材料を主材料として構成された複数の凸部１０２とを備え、基材１０１の前記一方の面と、隣接する前記凸部１０２とで画成された凹部１０３内に、収納物を収納して使用するものである。【選択図】図５
2020088288.tif 000002
【特許請求の範囲】
【請求項１】
平板状をなす基材と、該基材の少なくとも一方の面に形成され、樹脂材料を主材料として構成された複数の凸部とを備え、
前記基材の前記一方の面と、隣接する前記凸部とで画成された凹部内に、収納物を収納して使用することを特徴とする樹脂構造体。
【請求項２】
複数の前記凸部は、ほぼ平行に配列して設けられた凸条である請求項１に記載の樹脂構造体。
【請求項３】
前記凸条は、その高さの平均値が０．０１ｍｍ以上０．１ｍｍ以下である請求項２に記載の樹脂構造体。
【請求項４】
前記凸条は、その幅の平均値が１．０ｍｍ以上１０．０ｍｍ以下である請求項２または３に記載の樹脂構造体。
【請求項５】
前記凸条は、隣接するもの同士の平均間隔が１．０ｍｍ以上１０．０ｍｍ以下である請求項２ないし４のいずれか１項に記載の樹脂構造体。
【請求項６】
前記基材は、金属材料を主材料として構成される請求項１ないし５のいずれか１項に記載の樹脂構造体。
【請求項７】
前記金属材料は、Ｃｕ、Ｆｅ、Ａｌ、ＳｎおよびＮｉのうちの少なくとも１種である請求項６に記載の樹脂構造体。
【請求項８】
前記樹脂材料は、エラストマー樹脂である請求項１ないし７のいずれか１項に記載の樹脂構造体。
【請求項９】
前記収納物は、導電体である請求項１ないし８のいずれか１項に記載の樹脂構造体。
【請求項１０】
前記収納物は、電子部品が備える半田バンプであり、
当該樹脂構造体は、前記収納物としての前記半田バンプを、前記凹部内に収納して保護するために前記電子部品に仮固定され、この仮固定による前記半田バンプの保護の後には、前記電子部品から剥離される請求項８または９に記載の樹脂構造体。
【請求項１１】
前記電子部品は、複数の該電子部品が封止材により封止された電子部品封止連結体を形成している請求項１０に記載の樹脂構造体。
【発明の詳細な説明】
【技術分野】
【０００１】
本発明は、凹部内に収納物を収納して使用される樹脂構造体に関する。
【背景技術】
【０００２】
例えば、携帯電話、医療機器のように電磁波の影響を受けやすい電子部品や、半導体素子等の半導体電子部品、さらにはコンデンサー、コイル等の各種電子部品、またはこれらの電子部品を回路基板に実装された電子装置は、電磁波によるノイズの影響を軽減するため、これら電子部品または電子装置を、アルミやＳＵＳのような金属缶シールドで封止するシールド方法が実施されてきた。
【０００３】
しかしながら、この金属缶シールドは、種類別に配置された部品集合体に対して施され、その影響で基板上の各部品の配置には制約があり、基板の設計自由度は、機能面からは必ずしも最良というわけではない。さらに、金属缶シールドにより部品集合体を封止することから、金属缶シールドと部品集合体との間に空間が生じるため、かかる部品集合体を備える電子機器の大型化を招くという問題があった。
【０００４】
そのため、かかる問題点を解消するために、基板上に配置された電子部品が封止材により封止された電子部品封止体の上面および側面を、金属薄膜層等で構成されるノイズ抑制層で被覆する方法が提案されている（例えば、特許文献１参照。）。
【０００５】
この方法では、ノイズ抑制層が設けられた電子部品封止体を形成した後、得られた電子部品封止体の下面側に、電子部品に電気的に接続された配線と、この配線の一部を被覆する被覆層と、配線に電気的に接続された半田バンプとを設けることにより、ノイズ抑制層が設けられた電子部品封止体を有する電子装置が製造される。
【０００６】
しかしながら、かかる電子装置の製造方法では、上述の通り、電子部品封止体毎に、配線、被覆層および半田バンプを形成する必要があり、電子装置を製造するための工程が煩雑となり、生産性が低いと言った問題があった。
【先行技術文献】
【特許文献】
【０００７】
【特許文献１】特開２０１５−１３０４８４号公報
【発明の概要】
【発明が解決しようとする課題】
【０００８】
かかる問題点を解決することを目的に、複数の電子部品封止体が面方向に格子状に配列された状態で連結させた電子部品封止連結体を用意し、この電子部品封止連結体の下面側に、上述した、配線、被覆層および半田バンプを形成した後に、電子部品封止連結体が備える電子部品封止体にノイズ抑制層を形成し、その後、電子部品封止連結体を電子部品封止体毎に個片化することで、複数の電子装置を一括して製造する方法が考えられ、これにより、高い生産性をもって電子装置を製造することができる。
【０００９】
ところが、この場合、配線、被覆層および半田バンプの形成の後に、ノイズ抑制層の形成および電子部品封止連結体の個片化が実施される。そのため、これらの実施の際に、半田バンプを、収納物として凹部内に収納することで、傷付けることなく保護し得る樹脂構造体の開発が求められている。
【００１０】
さらに、以上のような半田バンプの保護の他、例えば、Ｃｕピラー、Ａｕスタッドバンプのような導電体を保護することを目的に、これら導電体を収納物として凹部内に収納することで保護することができる樹脂構造体の開発も同様に求められているのが実状であった。
【００１１】
そこで、本発明の目的は、例えば、半田バンプ、Ｃｕピラー、Ａｕスタッドバンプのような導電体等を収納物として凹部内に収納することで、かかる収納物を保護することができる樹脂構造体を提供することにある。
【課題を解決するための手段】
【００１２】
このような目的は、下記（１）〜（１１）に記載の本発明により達成される。
（１）  平板状をなす基材と、該基材の少なくとも一方の面に形成され、樹脂材料を主材料として構成された複数の凸部とを備え、
前記基材の前記一方の面と、隣接する前記凸部とで画成された凹部内に、収納物を収納して使用することを特徴とする樹脂構造体。
【００１３】
（２）  複数の前記凸部は、ほぼ平行に配列して設けられた凸条である上記（１）に記載の樹脂構造体。
【００１４】
（３）  前記凸条は、その高さの平均値が０．０１ｍｍ以上０．１ｍｍ以下である上記（２）に記載の樹脂構造体。
【００１５】
（４）  前記凸条は、その幅の平均値が１．０ｍｍ以上１０．０ｍｍ以下である上記（２）または（３）に記載の樹脂構造体。
【００１６】
（５）  前記凸条は、隣接するもの同士の平均間隔が１．０ｍｍ以上１０．０ｍｍ以下である上記（２）ないし（４）のいずれかに記載の樹脂構造体。
【００１７】
（６）  前記基材は、金属材料を主材料として構成される上記（１）ないし（５）のいずれかに記載の樹脂構造体。
【００１８】
（７）  前記金属材料は、Ｃｕ、Ｆｅ、Ａｌ、ＳｎおよびＮｉのうちの少なくとも１種である上記（６）に記載の樹脂構造体。
【００１９】
（８）  前記樹脂材料は、エラストマー樹脂である上記（１）ないし（７）のいずれかに記載の樹脂構造体。
【００２０】
（９）  前記収納物は、導電体である上記（１）ないし（８）のいずれかに記載の樹脂構造体。
【００２１】
（１０）  前記収納物は、電子部品が備える半田バンプであり、
当該樹脂構造体は、前記収納物としての前記半田バンプを、前記凹部内に収納して保護するために前記電子部品に仮固定され、この仮固定による前記半田バンプの保護の後には、前記電子部品から剥離される上記（８）または（９）に記載の樹脂構造体。
【００２２】
（１１）  前記電子部品は、複数の該電子部品が封止材により封止された電子部品封止連結体を形成している上記（１０）に記載の樹脂構造体。
【発明の効果】
【００２３】
本発明の樹脂構造体によれば、半田バンプ、Ｃｕピラー、Ａｕスタッドバンプのような導電体等を、樹脂構造体が備える凹部内に収納物として収納することで、この収納物を保護することができる。
【００２４】
特に、電子部品封止連結体が備える半田バンプを凹部内に収納物として収納（保護）した場合には、半田バンプを凹部内に収納した状態で、電子部品封止連結体を個片化することにより、電子部品封止体を得る工程や、個片化された電子部品封止体にノイズ抑制層を形成する工程を実施することができる。そのため、これらの工程において、半田バンプを確実に保護することができる。
【図面の簡単な説明】
【００２５】
【図１】本発明の樹脂構造体を用いて製造し得る半導体装置の一例を示す縦断面図である。
【図２】本発明の樹脂構造体を用いて図１に示す半導体装置を複数一括して製造する半導体装置の製造方法を説明するための縦断面図である。
【図３】本発明の樹脂構造体を用いて図１に示す半導体装置を複数一括して製造する半導体装置の製造方法を説明するための縦断面図である。
【図４】本発明の樹脂構造体を用いて図１に示す半導体装置を複数一括して製造する半導体装置の製造方法を説明するための縦断面図である。
【図５】本発明の樹脂構造体の実施形態を示す斜視図である。
【発明を実施するための形態】
【００２６】
以下、本発明の樹脂構造体を添付図面に示す好適実施形態に基づいて詳細に説明する。
以下では、本発明の樹脂構造体を説明するのに先立って、まず、本発明の樹脂構造体を用いて製造することができる半導体装置の一例について説明する。
【００２７】
＜半導体装置＞
図１は、本発明の樹脂構造体を用いて製造し得る半導体装置の一例を示す縦断面図である。なお、以下の説明では、図１中の上側を「上」、下側を「下」と言う。
【００２８】
図１に示す半導体装置２０は、厚さ方向に貫通して配置された導体ポスト（図示せず）を備えるインターポーザー（基板）２５と、インターポーザー２５上に配置された半導体素子２６ならびにコンデンサー、コイルのような電子素子２８と、半導体素子２６および電子素子２８を封止する封止部２７（モールド部）と、インターポーザー２５の下面側に形成され、導体ポストに電気的に接続された配線２３と、配線２３に電気的に接続されたバンプ２１（半田バンプ）と、配線２３を被覆し、かつバンプ２１を露出させる開口部２２１を備える被覆部２２とを有しており、この半導体装置２０が備える封止部２７の上面および側面、インターポーザー２５の側面、ならびに、被覆部２２の側面の一部を被覆するノイズ抑制層３が設けられている。
【００２９】
インターポーザー２５は、半導体素子２６および電子素子２８を支持する基板であり、その平面視形状は、通常、正方形、長方形等の四角形とされる。このインターポーザー２５には、その厚さ方向に貫通する複数の貫通孔（図示せず）が形成され、この貫通孔に対応して導体ポストが設けられている。
【００３０】
半導体素子２６および電子素子２８は、それぞれ、半導体素子２６および電子素子２８がその下面側に有する電極パッドが導体ポストに対応するように、インターポーザー２５上に、本実施形態では、半導体素子２６が１つ、電子素子２８が２つそれぞれ配置されている。なお、本実施形態では、これら半導体素子２６および電子素子２８が、半導体装置２０が備える電子部品を構成する。
【００３１】
かかる位置に半導体素子２６および電子素子２８が配置された状態で、封止部２７は、半導体素子２６、電子素子２８およびインターポーザー２５の上面側を覆うように形成される。
【００３２】
インターポーザー２５の貫通孔に対応して形成された導体ポストは、その上側の端部で、半導体素子２６または電子素子２８が備える電極パッド（端子）と電気的に接続される。
【００３３】
また、インターポーザー２５の下面には、所定形状に形成された配線２３が設けられ、その一部が導体ポストの下側の端部と電気的に接続される。
【００３４】
さらに、配線２３の下面には、球状体をなすバンプ２１が電気的に接続されており、これにより、半導体素子２６または電子素子２８（電子部品）とバンプ２１（半田バンプ）とが、電極パッド（端子）、導体ポストおよび配線２３を介して電気的に接続される。また、バンプ２１をその下側から露出させるための開口部２２１を備える被覆部２２が配線２３を被覆するように設けられている。
【００３５】
そして、ノイズ抑制層３は、封止部２７の上面、封止部２７の側面、インターポーザー２５の側面および被覆部２２の側面の一部を被覆して設けられている。このノイズ抑制層３により、インターポーザー２５上に設けられた半導体素子２６および電子素子２８と、ノイズ抑制層３を介して、半導体素子２６および電子素子２８の外側すなわち半導体装置２０の外側に位置する他の電子部品等とを、これらの少なくとも一方から生じる電磁波を遮断（シールド）して、電磁波によるノイズが抑制される。なお、このノイズ抑制層３は、被覆部２２の側面側において、配線２３の一部（図示せず）が露出しており、この配線２３がノイズ抑制層３に電気的に接続されることで、ノイズ抑制層３が配線２３を介して電気的に接地される。
【００３６】
なお、本実施形態では、電子部品を構成する半導体素子２６および電子素子２８を、それぞれ、１つおよび２つずつ半導体装置２０が備えるが、かかる構成に限定されず、半導体装置（電子装置）は、いずれか１つを備えるものであってもよく、上記以上の半導体素子２６および電子素子２８を備えるものであってもよいし、さらに、半導体素子２６および電子素子２８とは異なる電子部品を備えるものであってもよい。
【００３７】
（半導体装置２０の製造方法）
以上のような構成をなす半導体装置２０の製造に、本発明の樹脂構造体を用いた、半導体装置２０の製造方法が適用される。
【００３８】
すなわち、本発明の樹脂構造体を用いた半導体装置２０の製造方法は、平板状をなすシート材と、このシート材上に配置された複数の電子部品と、電子部品が配置されているシート材の上面側に、シート材と電子部品とを覆うように封止して形成された封止部とを有し、シート材の下面側に形成された配線と、シート材の下面側に形成され、シート材および配線を覆い、かつ、配線の一部を露出させる開口部を備える被覆部と、開口部で露出する配線に電気的に接続されたバンプとが設けられた電子部品封止連結体を準備する準備工程と、電子部品封止連結体に形成された被覆部の下面側に、樹脂構造体（本発明の樹脂構造体）を配置することで、電子部品封止連結体が備えるバンプを、樹脂構造体が備える凹部内に収納物として収納する収納工程と、形成すべき電子部品封止体毎に対応するように、電子部品封止連結体を厚さ方向に切断して、電子部品封止体の側面が露出する凹部を設けることで、電子部品封止体を形成する切断工程と、電子部品封止体の上面および側面を被覆するノイズ抑制層を形成するノイズ抑制層形成工程と、電子部品封止体の下面側に形成された被覆部から樹脂構造体を離脱させる離脱工程と、電子部品封止体に形成されたノイズ抑制層に、粘着テープを貼付する貼付工程と、凹部を被覆部に貫通するまで到達させて個片化することで、複数の電子装置を一括して得る個片化工程と、半導体装置から粘着テープを剥離する剥離工程とを有する。
【００３９】
以下、これらの工程を有する本実施形態の電子装置の製造方法について詳述する。
図２〜図４は、本発明の樹脂構造体を用いて図１に示す半導体装置を複数一括して製造する半導体装置の製造方法を説明するための縦断面図、図５は、本発明の樹脂構造体の実施形態を示す斜視図である。なお、以下の説明では、図２〜図５中の上側を「上」、下側を「下」と言う。
【００４０】
［１］まず、配線２３と被覆部２２とバンプ２１とが設けられた電子部品封止連結体２７０を用意する（準備工程）。
【００４１】
この配線２３と被覆部２２とバンプ２１とが設けられた電子部品封止連結体２７０は、例えば、下記工程［１−１］〜下記工程［１−７］を経ることで、用意される。
【００４２】
［１−１］まず、図２（ａ）に示すような、平板状をなすシート材２５’を用意する。
なお、このシート材２５’は、予め形成された複数の貫通孔（図示せず）を備え、さらに、これら貫通孔に対応して埋設された導体ポスト（図示せず）を備えるものであり、この導体ポストは、後述する工程［１−５］において、半導体素子２６および電子素子２８をシート材２５’上に配置させた際に、半導体素子２６および電子素子２８が備える電極パッド（端子）が対応する位置に形成されている。すなわち、シート材２５’は、貫通孔に対応して設けられた導体ポストが、シート材２５’上に配置される複数の半導体素子２６および電子素子２８が備える電極パッド（端子）の総数と同じ数で形成されている。
【００４３】
また、シート材２５’は、その厚さ方向に切断して個片化することにより、半導体装置２０が有するインターポーザー２５（基板）となり、電子部品としての半導体素子２６および電子素子２８を支持する機能を発揮するものである。
【００４４】
このシート材２５’は、半導体素子２６および電子素子２８を支持し得る程度の硬度を有するものであればよく、特に限定されるものではないが、例えば、コア材で構成されるコア基板、ビルドアップ材で構成されるビルドアップ基板のようなリジット基板（硬性基板）またはフレキシブル基板（可撓性基板）の何れであってもよいが、これらの中でも、特に、ビルドアップ基板であるのが好ましい。ビルドアップ基板は、特に、加工性に優れることから好ましく用いられる。
【００４５】
ビルドアップ材料としては、特に限定されないが、例えば、フェノール樹脂、ユリア樹脂、メラミン樹脂、エポキシ樹脂のような熱硬化性樹脂と、硬化剤と、無機充填材とを含有する樹脂組成物等の硬化物を主材料として構成されるものが挙げられる。
【００４６】
なお、コア基板としては、特に限定されないが、例えば、主として、シアネート樹脂、エポキシ樹脂、ビスマレイミド−トリアジン樹脂のような熱硬化性樹脂等で構成されるものが挙げられる。
【００４７】
さらに、フレキシブル基板としては、例えば、ポリイミド、ポリエチレンテレフタレート（ＰＥＴ）、ポリエチレンナフタレート（ＰＥＮ）、ポリエーテルスルホン（ＰＥＳ）、ポリテトラフルオロエチレン（ＰＴＦＥ）、ポリイミドベンゾオキサゾール（ＰＩＢＯ）、液晶ポリマーのような熱可塑性樹脂等で構成されるものが挙げられる。
【００４８】
［１−２］次に、図２（ｂ）に示すように、インターポーザー２５に対して半導体素子２６および電子素子２８を配置する面側に対して反対となるシート材２５’の面側（下面側）に、導体ポストに電気的に接続するように、所定形状にパターニングされた配線２３を形成する（配線形成工程）。
【００４９】
この配線２３を形成する方法としては、特に限定されず、例えば、Ｉ：電解メッキ法、無電解メッキ法のようなメッキ法を用いて配線２３を形成する方法、II：導電性材料を含有する液状材料をインターポーザー２５に供給し乾燥・固化することにより配線２３を形成する方法等が挙げられるが、Ｉの方法、特に電解メッキ法を用いて配線２３を形成するのが好ましい。電解メッキ法によれば、導体ポストに対して、優れた密着性を発揮する配線２３を容易かつ確実に形成することができる。
【００５０】
［１−３］次に、図２（ｃ）に示すように、インターポーザー２５の半導体素子２６および電子素子２８を配置するのと反対の面側（下面側）に、インターポーザー２５および配線２３を被覆するように被覆部２２を形成する（被覆部形成工程）。
【００５１】
このような、被覆部２２は、通常、主として熱硬化性樹脂で構成される。熱硬化性樹脂としては、例えば、エポキシ樹脂、フェノール樹脂、ユリア樹脂、メラミン樹脂、ポリエステル（不飽和ポリエステル）樹脂、ポリイミド樹脂、シリコーン樹脂、ポリウレタン樹脂等が挙げられ、これらのうちの１種または２種以上を用いることができる。これらの中でも、エポキシ樹脂を用いるのがより好ましい。エポキシ樹脂は、入手が容易であり、かつ、耐熱性に優れることから好ましく用いられる。
【００５２】
エポキシ樹脂としては、例えば、ビスフェノールＡ、ビスフェノールＦ、ビスフェノールＡＤ、ハイドロキノン、メチルハイドロキノン、ジメチルハイドロキノン、ジブチルハイドロキノン、レゾルシン、メチルレゾルシン、ビフェノール、テトラメチルビフェノール、ジヒドロキシナフタレン、ジヒドロキシジフェニルエーテル、フェノールノボラック樹脂、クレゾールノボラック樹脂、ビスフェノールＡノボラック樹脂、ジシクロペンタジエンフェノール樹脂、テルペンフェノール樹脂、フェノールアラルキル樹脂、ナフトールノボラック樹脂などの各種エポキシ樹脂が挙げられる。
【００５３】
また、このような被覆部２２は、例えば、後述する封止部２７を形成する方法と同様の方法を用いて形成することができる。
【００５４】
［１−４］次に、図２（ｄ）に示すように、被覆部２２に、配線２３の一部が露出するように、開口部２２１を形成する。
【００５５】
これにより、インターポーザー２５の半導体素子２６および電子素子２８を配置するのと反対の面側（下面側）に、配線２３の一部が露出する開口部２２１を備える被覆部２２が設けられる。
【００５６】
なお、この開口部２２１は、後工程［１−７］において、バンプ２１を形成する位置に対応するように形成される。
【００５７】
この開口部２２１を被覆部２２に形成する方法としては、特に限定されないが、例えば、開口部２２１を形成すべき位置を露出させるレジスト層を、被覆部２２に形成した後に、レジスト層をマスクとして用いて、被覆部２２の開口部２２１を形成すべき位置をエッチングする方法が挙げられる。
【００５８】
［１−５］次に、配線２３、および、開口部２２１を備える被覆部２２が設けられたシート材２５’上に複数の半導体素子２６および電子素子２８を配置（載置）する（図２（ｅ）参照。）。
【００５９】
シート材２５’上に、電子部品としての半導体素子２６および電子素子２８を配置する際、半導体素子２６および電子素子２８は、シート材２５’が備える導体ポストの位置に、それぞれ、半導体素子２６および電子素子２８が有する電極パッドが対応する位置に配置される。そして、このような配置により、形成すべき半導体装置２０が備える半導体素子２６および電子素子２８が配置されるべき位置に、半導体素子２６および電子素子２８がシート材２５’上において配置されることとなる。
【００６０】
なお、半導体素子２６および電子素子２８（特に半導体素子２６）は、シート材２５’上に固定されていても固定されていなくてもよいが、エポキシ系接着剤等の接着剤（アンダーフィル材）により固定されているのが好ましい。これにより、次工程［１−６］において、半導体素子２６および電子素子２８を封止部２７で封止する際に、半導体素子２６および電子素子２８の位置ずれが生じてしまうのを効果的に防止することができる。
【００６１】
［１−６］次に、シート材２５’の上面側、すなわち半導体素子２６および電子素子２８が配置されている側の面を、シート材２５’、半導体素子２６および電子素子２８を覆うように封止部２７を形成する（図２（ｆ）参照。）。
【００６２】
これにより、シート材２５’、半導体素子２６および電子素子２８がシート材２５’の上面側で封止部２７により封止された電子部品封止連結体２７０を、その下面側に配線２３と被覆部２２とが設けられた状態で得ることができる。
【００６３】
封止部２７を形成する方法としては、特に限定されないが、例えば、顆粒状のエポキシ樹脂組成物のような熱硬化性樹脂組成物を溶融させた状態で、シート材２５’、半導体素子２６および電子素子２８を覆うようにシート材２５’の上面に供給した後、この溶融状態の熱硬化性樹脂組成物を圧縮成形する方法が挙げられる。かかる方法によれば、半導体素子２６をシート材２５’上において容易かつ高密度に封止部２７で封止することができる。
【００６４】
このように、本実施形態では、電子部品としての半導体素子２６および電子素子２８は、封止材で構成される封止部２７により封止された電子部品封止連結体２７０を形成している。
【００６５】
［１−７］次に、図２（ｇ）に示すように、被覆部２２の開口部２２１から露出する配線２３に電気的に接続するようにバンプ２１を形成する（バンプ接続工程）。
【００６６】
ここで、本実施形態のように、導体ポストとバンプ２１との接続を、配線２３を介して行う構成とすることにより、バンプ２１を、インターポーザー２５の面方向において、導体ポストとは異なる位置に配置することができる。換言すれば、バンプ２１と導体ポストとの中心部が重ならないように、これらを配置することができる。したがって、得られる半導体装置２０における下面の所望の位置にバンプ２１を形成することができる。
【００６７】
このバンプ２１を配線２３に接合する方法としては、特に限定されないが、例えば、バンプ２１と配線２３との間に、粘性を有するフラックスを介在させることにより行われる。
【００６８】
また、バンプ２１の構成材料としては、例えば、半田、銀ろう、銅ろう、燐銅ろうのようなろう材等が挙げられる。
【００６９】
以上のような、工程［１−１］〜［１−７］により、配線２３と被覆部２２とバンプ２１とが設けられた電子部品封止連結体２７０が用意される。
【００７０】
以上のように、後述する電子部品封止体２９０にではなく、電子部品封止連結体２７０に対して、一括して、配線２３および被覆部２２、さらには開口部２２１およびバンプ２１が形成されることとなるため、配線２３、被覆部２２およびバンプ２１を形成する際の工程の簡略化が図られ、時間と手間が省かれることから、結果として、製造される半導体装置２０の生産性の向上が図られる。
【００７１】
なお、本実施形態では、電子部品封止連結体２７０の形成に先立って、シート材２５’の下面側に、配線２３、および、開口部２２１を備える被覆部２２を形成する場合について説明したが、この場合に限定されず、例えば、電子部品封止連結体２７０を形成した後に、シート材２５’の下面側に、配線２３、および、開口部２２１を備える被覆部２２を形成してもよい。
【００７２】
さらに、被覆部２２が備える開口部２２１に対するバンプ２１の形成を、電子部品封止連結体２７０を形成した後ではなく、電子部品封止連結体２７０の形成、すなわち、半導体素子２６および電子素子２８の配置、または、封止部２７の形成に先立って、実施するようにしてもよい。
【００７３】
［２］次に、樹脂構造体１１０（本発明の樹脂構造体）を用意し、図２（ｈ）に示すように、電子部品封止連結体２７０に形成された被覆部２２のバンプ２１側（下面側）に、樹脂構造体１１０を配置した後に仮固定することで、電子部品封止連結体２７０が備えるバンプ２１を、樹脂構造体１１０が備える凹部１０３内に収納物として収納する（収納工程）。
【００７４】
すなわち、本工程［２］により、次工程［３］（切断工程）に先立って、電子部品封止連結体２７０に形成された被覆部２２の下面側に、樹脂構造体１１０を配置した後に仮固定することで、樹脂構造体１１０が備える凹部１０３内に収納物としてバンプ２１を収納する収納工程が構成される。
【００７５】
この電子部品封止連結体２７０に形成されたバンプ２１の樹脂構造体１１０が備える凹部１０３への収納は、例えば、図示しないダイサーテーブルの上に、樹脂構造体１１０を設置し、被覆部２２のバンプ２１側の面を、樹脂構造体１１０の上に置き、軽く押圧して、バンプ２１を樹脂構造体１１０が備える凹部１０３に収納させることにより行うことができる。なお、電子部品封止連結体２７０に設けられたバンプ２１を、樹脂構造体１１０が備える凹部１０３に収納させた後に、ダイサーテーブルに設置しても良い。
【００７６】
樹脂構造体１１０は、本工程［２］〜後工程［４］において、電子部品封止連結体２７０（電子部品）に設けられた被覆部２２のバンプ２１側の面に、仮固定されることで、凹部１０３内に収納物として収納されたバンプ２１を保護し、かつ、この保護の後には、後工程［５］において、被覆部２２から離脱（剥離）されるものである。
【００７７】
この樹脂構造体１１０（本発明の樹脂構造体）は、平板状をなす基材１０１と、基材１０１の上面（一方の面）に形成され、樹脂材料を主材料として構成された複数（本実施形態では、６つ）の凸部１０２とを備えるものである（図５参照）。樹脂構造体１１０をかかる構成のものとすることで、基材１０１の上面と、隣接する２つの凸部１０２とにより凹部１０３が画成される。そして、この画成された凹部１０３内に、本実施形態では、収納物として上述したバンプ２１を収納して使用することで、後工程［３］、後工程［４］において、バンプ２１を保護することができるため、バンプ２１が傷付くのを確実に防止することができる。
【００７８】
基材１０１は、凸部１０２を支持するとともに、その上面と凸部１０２とにより凹部１０３を画成するものである。
【００７９】
この基材１０１は、凸部１０２を支持し、かつ、電子部品封止連結体２７０に対する樹脂構造体１１０の配置を容易に行い得る程度の硬度を有するものであればよく、特に限定されるものではないが、例えば、樹脂材料または金属材料を主材料として構成されるものが挙げられるが、中でも、金属材料を主材料として構成されるものが好ましい。基材１０１を、金属材料を主材料として構成されるものとし、基材１０１に導電性を付与した際には、次工程［３］（切断工程）において、電子部品封止連結体２７０を切断した際に、電子部品封止体２９０が帯電するのを的確に抑制または防止することができる。そのため、電子部品封止体２９０が帯電することに起因する、半導体素子２６および電子素子２８の破損を、的確に抑制または防止することができる。
【００８０】
金属材料としては、例えば、Ａｕ、Ｐｔ、Ａｇ、Ｐｄ、Ａｌ、Ｔｉ、Ｃｒ、Ｃｏ、Ｎｉ、Ｆｅ、Ｃｕ、Ｚｎ、Ｚｒ、Ｍｏ、Ｅｕ、Ｓｎ、Ｓｉ、Ｇａ、Ｇｅ、Ｓｂ、Ｗ、Ｒｕ、Ｉｎ等が挙げられ、中でも、Ｃｕ、Ｆｅ、Ａｌ、ＳｎおよびＮｉであることが好ましく、これらのうち１種または２種以上を組み合わせて用いることができる。Ｃｕ、Ｆｅ、Ａｌ、ＳｎおよびＮｉのうちの少なくとも１種を用いることで、基材１０１に優れた導電性を付与することができる。
【００８１】
また、基材１０１の厚さは、特に限定されないが、例えば、１０μｍ以上３００μｍ以下であるのが好ましく、８０μｍ以上２００μｍ以下であるのがより好ましい。基材１０１の厚さをかかる範囲内とすることで、次工程［３］および後工程［４］において、凹部１０３内にバンプ２１を収納した状態で、基材１０１が破断するのを確実に防止することができる。
【００８２】
凸部１０２は、基材１０１の上面に複数設けられ、これにより、基材１０１の上面と、隣接する２つの凸部１０２とにより凹部１０３を画成するものである。
【００８３】
この凸部１０２は、本実施形態では、基材１０１の短手方向に沿って、６つのものがほぼ平行となるように、基材１０１の長手方向に配列して設けられた凸条で構成されている。このように、凸部１０２を凸条で構成することで、基材１０１の上面と、隣接する２つの凸部１０２とにより、凹条をなす凹部１０３を形成することができる。そのため、バンプ２１のように複数のものが１つの電子部品封止体２９０毎に対応して繰り返して設けられた収納物を、比較的容易に凹部１０３内に収納することができる。
【００８４】
また、凸部１０２は、その高さの平均値が０．０１ｍｍ以上０．１ｍｍ以下であることが好ましく、０．０３ｍｍ以上０．０８ｍｍ以下であることがより好ましい。
【００８５】
さらに、凸部１０２は、その幅の平均値が１．０ｍｍ以上１０．０ｍｍ以下であることが好ましく、３．０ｍｍ以上８．０ｍｍ以下であることがより好ましい。
【００８６】
また、凸部１０２は、隣接するもの同士の平均間隔が１．０ｍｍ以上１０．０ｍｍ以下であることが好ましく、３．０ｍｍ以上８．０ｍｍ以下であることがより好ましい。
【００８７】
凸部１０２の高さおよび幅、さらには、隣接する凸部１０２同士の平均間隔を前記範囲内に設定することにより、画成される凹部１０３に、バンプ２１を収納物として収納する凹部としての機能を確実に発揮させることができる。
【００８８】
また、凸部１０２は、樹脂材料を主材料として構成されるが、この樹脂材料としては、各種の熱硬化性樹脂および熱可塑性樹脂が挙げられるが、中でも、エラストマー樹脂であることが好ましい。凸部１０２を、主としてエラストマー樹脂で構成されるものとすることで、凸部１０２にクッション性を付与することができる。そのため、次工程［３］（切断工程）において、電子部品封止連結体２７０を切断する際に、凸部１０２にクッション材としての機能を発揮させることができることから、バンプ２１が傷付くのを確実に防止しつつ、電子部品封止連結体２７０の切断を優れた精度で実施することができる。
【００８９】
エラストマー樹脂としては、特に限定されないが、例えば、スチレン系熱可塑性エラストマー、ポリプロピレン系熱可塑性エラストマーのようなオレフィン系熱可塑性エラストマー、ウレタン系熱可塑性エラストマー、アミド系熱可塑性エラストマーおよびエステル系熱可塑性エラストマー等の熱可塑性エラストマー、シリコーンゴム、エチレンプロピレンゴム、天然ゴム、ブタジエンゴム等の熱硬化性エラストマーが挙げられ、これらのうちの１種または２種以上を組み合わせて用いることができる。
【００９０】
なお、熱可塑性樹脂のうち、熱可塑性エラストマーを除くものとしては、例えば、低密度ポリエチレン、直鎖状ポリエチレン、中密度ポリエチレン、高密度ポリエチレン、超低密度ポリエチレンのようなポリエチレン、ランダム共重合ポリプロピレン、ブロック共重合ポリプロピレン、ホモポリプロピレンのようなポリプロピレン、ポリ塩化ビニル、ポリブテン、ポリブタジエン、ポリメチルペンテン等のポリオレフィン系樹脂、エチレン−酢酸ビニル共重合体、エチレン−(メタ)アクリル酸共重合体、エチレン−(メタ)アクリル酸エステル（ランダム、交互）共重合体、エチレン−プロピレン共重合体、エチレン−ブテン共重合体、エチレン−ヘキセン共重合体等のオレフィン系共重合体、ポリエチレンテレフタレート、ポリエチレンナフタレート、ポリブチレンテレフタレート、ポリブチレンナフタレート等のポリエステル系樹脂、ポリウレタン、ポリイミド、ポリアミド、ポリエーテルエーテルケトンのようなポリエーテルケトン、ポリエーテルスルホン、ポリスチレン、フッ素樹脂、シリコーン樹脂、セルロース系樹脂、アクリル樹脂、ポリビニルイソプレン、ポリカーボネート等が挙げられる。
【００９１】
また、熱硬化性樹脂のうち、熱硬化性エラストマーを除くものとしては、例えば、エポキシ樹脂、フェノール樹脂、ユリア樹脂、メラミン樹脂、ポリエステル（不飽和ポリエステル）樹脂、ポリイミド樹脂、シリコーン樹脂、ポリウレタン樹脂等が挙げられる。
【００９２】
以上のような構成をなす樹脂構造体１１０とすることで、バンプ２１を収納物として凹部１０３内に収納して保護することができるため、後工程［３］、後工程［４］において、バンプ２１が傷付くのを確実に防止することができる。さらに、後工程［５］において、電子部品封止体２９０に形成された被覆部２２から容易に離脱（剥離）させることができる。
【００９３】
なお、凸部１０２は、本実施形態では、図５に示すように、凸条をなし、これが基材１０１の短手方向に沿って形成されている場合について説明したが、凸部１０２は、かかる構成のものに限定されず、島状をなし、この島状をなす凸部１０２が基材１０１の上面に格子状または千鳥状に配列されているものであってもよい。凸部１０２をかかる構成をなすものとした場合においても、基材１０１の上面と凸部１０２とにより凹部１０３を画成することができ、さらに、この画成された凹部１０３内に収納物としてバンプ２１を収納することで、このバンプ２１を保護することができる。
【００９４】
［３］次に、樹脂構造体１１０が貼付された電子部品封止連結体２７０を、例えば、ウエハリング等を用いて固定し、その後、ダイシングソー（ブレード）を用いて、形成すべき半導体装置２０（電子部品封止体２９０）毎に対応する位置、すなわち、半導体装置２０が備えるべき１つの半導体素子２６と２つの電子素子２８とが封止部２７で封止される領域毎に対応して、電子部品封止連結体２７０を厚さ方向に切断（ダイシング）して、電子部品封止体２９０の側面が露出するように、凹部６２を形成する（切断工程（ダイシング工程）；図３（ａ）参照）。
【００９５】
これにより、電子部品封止連結体２７０が、１つの半導体素子２６と２つの電子素子２８との組み合わせ毎に対応して、平面視で格子状をなすように個片化された電子部品封止体２９０が、配線２３、被覆部２２およびバンプ２１を介して、樹脂構造体１１０上に貼付された状態で得られる。
【００９６】
この際、樹脂構造体１１０は、緩衝作用を有しており、電子部品封止連結体２７０を切断する際に、電子部品封止連結体２７０、さらには、配線２３、被覆部２２およびバンプ２１に割れ、欠け等が生じるのを、抑制または防止する機能を発揮する。
【００９７】
また、ブレードを用いた電子部品封止連結体２７０の切断は、本実施形態では、図３（ａ）に示すように、被覆部２２の厚さ方向に、配線２３に対応する厚さを貫通する位置に到達するように、被覆部２２の途中まで至るように実施される。これにより、電子部品封止連結体２７０の個片化を確実に実施することができる。また、電子部品封止体２９０を配線２３、被覆部２２およびバンプ２１を介して樹脂構造体１１０上に貼付させた状態で、個片化により形成される電子部品封止体２９０（封止部２７およびインターポーザー２５）の側面、さらには、被覆部２２の側面の一部を凹部６２において確実に露出させることができる。
【００９８】
以上のような切断工程［３］において、樹脂構造体１１０が備える凹部１０３内にバンプ２１が収納されていることから、電子部品封止連結体２７０を切断する際に、バンプ２１を確実に保護することができる。
【００９９】
［４］次に、電子部品封止体２９０の上面および側面、ならびに、被覆部２２の側面の一部を被覆するノイズ抑制層３を形成する（ノイズ抑制層形成工程）。
【０１００】
このノイズ抑制層３は、例えば、下記工程［４−１］および下記工程［４−２］を経ることで形成される。
【０１０１】
［４−１］まず、剥離層１（絶縁層）と、剥離層１に積層されたノイズ抑制層３とを有する電磁波シールド用フィルム３００を用意し、個片化で得られた電子部品封止体２９０の封止部２７が形成されている面側（上面側）で、電子部品封止体２９０に電磁波シールド用フィルム３００を、ノイズ抑制層３を電子部品封止体２９０側にして、積層（貼付）する。
【０１０２】
この電子部品封止体２９０に電磁波シールド用フィルム３００を貼付する方法としては、特に限定されないが、例えば、真空圧空成形またはプレス成型法が挙げられる。
【０１０３】
真空圧空成形とは、例えば、真空加圧式ラミネーターを用いて、電磁波シールド用フィルム３００で、個片化で得られた電子部品封止体２９０の上面および側面を被覆する方法であり、まず、図３（ｂ）に示すように、真空雰囲気下とし得る閉空間内に、電子部品封止体２９０の樹脂構造体１１０と反対側の面と、電磁波シールド用フィルム３００のノイズ抑制層３側の面とが対向するように、電子部品封止体２９０と電磁波シールド用フィルム３００とを重ね合わせた状態でセットし、その後、これらを加熱下において、電磁波シールド用フィルム３００側から均一に電磁波シールド用フィルム３００と電子部品封止体２９０とが互いに接近するように、前記閉空間を真空雰囲気下にし、その後加圧することにより実施される。
【０１０４】
このように、電磁波シールド用フィルム３００側から均一に加圧しつつ、前記閉空間を真空雰囲気下とすることで、剥離層１が凹部６２の形状に対応してノイズ抑制層３を押し込み、この押し込みに併せて、剥離層１よりも電子部品封止体２９０側に位置する、ノイズ抑制層３が凹部６２の形状に対応して変形する。これにより、図３（ｃ）に示すように、凹部６２の形状に対応してノイズ抑制層３が押し込まれた状態で、ノイズ抑制層３により電子部品封止体２９０の上面および側面、ならびに、被覆部２２の側面の一部が被覆される。
【０１０５】
このように、ノイズ抑制層３により、電子部品封止体２９０の上面および側面を被覆することで、得られる半導体装置２０に電磁波シールド（遮断）性を付与することができる。また、ノイズ抑制層３により、被覆部２２の側面の一部を被覆することで、被覆部の２２の側面側において、配線２３の一部（図示せず）が露出しているため、配線２３とノイズ抑制層３とを電気的に接続することができ、その結果、ノイズ抑制層３が配線２３を介して電気的に接地される。
【０１０６】
なお、ノイズ抑制層３の電気的な接地が必要ない場合には、被覆部２２の側面に対するノイズ抑制層３の形成は、省略することができる。この場合、凹部６２の形成、すなわち、電子部品封止連結体２７０の切断は、被覆部２２の途中まで至るように実施する必要はなく、インターポーザー２５が貫通するまで実施すればよい。
【０１０７】
このような電磁波シールド用フィルム３００の貼付工程において、貼付する温度は、特に限定されないが、１５℃以上、２２０℃以下であることが好ましく、より好ましくは２０℃以上、２１０℃以下である。
【０１０８】
また、貼付する圧力は、特に限定されないが、０．１ＭＰａ以上、２０．０ＭＰａ以下であることが好ましく、より好ましくは０．５ＭＰａ以上、１５．０ＭＰａ以下である。
【０１０９】
さらに、貼付する時間は、特に限定されないが、５秒以上、９０分以下であることが好ましく、より好ましくは３０秒以上、１０分以下である。
【０１１０】
電磁波シールド用フィルム３００の貼付工程における条件を上記範囲内に設定することにより、隣接する電子部品封止体２９０同士間の凹部６２に対してノイズ抑制層３を押し込んだ状態で、このノイズ抑制層３により電子部品封止体２９０の上面および側面、ならびに、被覆部２２の側面の一部を確実に被覆することができる。
【０１１１】
電磁波シールド用フィルム３００は、本工程において、隣接する電子部品封止体２９０同士間の凹部６２に対してノイズ抑制層３を押し込んだ状態で、ノイズ抑制層３により電子部品封止体２９０および被覆部２２を被覆するために用いられる。
【０１１２】
また、プレス成型法とは、例えば、樹脂構造体１１０上に貼付された電子部品封止体２９０上に電磁波シールド用フィルム３００を配置し、さらに、この電磁波シールド用フィルム３００上に、クッション材を配置した状態で、これらを、その上面側および下面側から、２つの平板で挾持し、その後、２つの平板を接近させて、加圧することにより実施される。
【０１１３】
このように、電磁波シールド用フィルム３００上に、クッション材を配置した状態で、電磁波シールド用フィルム３００と電子部品封止体２９０とを接近させることによっても、剥離層１が凹部６２の形状に対応してノイズ抑制層３を押し込み、この押し込みに併せて、剥離層１よりも電子部品封止体２９０側に位置する、ノイズ抑制層３を凹部６２の形状に対応して変形させることができる。そのため、図３（ｃ）に示すように、凹部６２の形状に対応してノイズ抑制層３が押し込まれた状態で、ノイズ抑制層３により電子部品封止体２９０の上面および側面、ならびに、被覆部２２の側面を被覆することができる。
【０１１４】
この電磁波シールド用フィルム３００において、剥離層１は、凹部６２の形状に追従してノイズ抑制層３を押し込むことで、電子部品封止体２９０の上面および側面、ならびに、被覆部２２の側面を被覆する際に、押し込まれたノイズ抑制層３が破断するのを防止する保護（緩衝）材として機能するものである。また、次工程［４−２］において、ノイズ抑制層３から剥離されるものである。
【０１１５】
この剥離層１の構成材料としては、特に限定されず、例えば、シンジオタクチックポリスチレン、ポリメチルペンテン、ポリブチレンテレフタレート、ポリエチレンテレフタレート、無軸延伸ポリプロピレンおよび二軸延伸ポリプロピレン等のポリプロピレン、環状オレフィンポリマー、シリコーン、スチレンエラストマー樹脂、スチレンブタジエンゴム、アクリルゴム、エポキシ樹脂、ポリフェノール、ポリウレタンのような樹脂材料が挙げられる。これらの中でも、無軸延伸ポリプロピレンを用いることが好ましい。これにより、剥離層１のノイズ抑制層３に対する押し込み性、さらには耐熱性を向上させることができる。
【０１１６】
また、剥離層１の１００℃における貯蔵弾性率は、１．０Ｅ＋０４Ｐａ以上１．０Ｅ＋１１Ｐａ以下であるのが好ましく、１．０Ｅ＋０５Ｐａ以上１．０Ｅ＋１０Ｐａ以下であるのがより好ましく、１．０Ｅ＋０６Ｐａ以上５．０Ｅ＋０９Ｐａ以下であるのがさらに好ましい。このように、剥離層１の１００℃における貯蔵弾性率を、前記範囲内に設定することにより、剥離層１は可撓性を有するものであると言うことができ、電磁波シールド用フィルム３００を用いて、電子部品封止体２９０の上面および側面を被覆する際に、ノイズ抑制層３に破断を生じさせることなくノイズ抑制層３を凹部６２の形状に対応した状態で押し込むことができる。これにより、凹部６２の形状に対応してノイズ抑制層３が押し込まれた状態で、ノイズ抑制層３により電子部品封止体２９０の上面および側面が被覆される。その結果、電子部品封止体２９０の上面および側面が、破断の発生が防止されたノイズ抑制層３をもって、被覆されるようになるため、このノイズ抑制層３による電磁波シールド（遮断）性が向上することとなる。
【０１１７】
剥離層１の厚さは、特に限定されないが、２０μｍ以上、１０００μｍ以下であることが好ましく、７０μｍ以上、５００μｍ以下であることがより好ましい。剥離層１の厚みが前記下限値未満である場合、剥離層１ひいてはノイズ抑制層３が破断し、その電磁波シールド性が低下するおそれがある。また、剥離層１の厚みが前記上限値を超える場合、剥離層１からノイズ抑制層３に対する押し込む力が十分に伝達されず、ノイズ抑制層３の凹部６２に対する押し込み性が十分に得られないおそれがある。
【０１１８】
ノイズ抑制層３は、電子部品封止体２９０が備える半導体素子２６および電子素子２８と、このノイズ抑制層３を介して、電子部品封止体２９０と反対側に位置する他の電子部品等とを、これらの少なくとも一方から生じる電磁波を遮断（シールド）する機能を有する。
【０１１９】
このノイズ抑制層３（電磁波遮断層）は、特に限定されず、如何なる形態で電磁波を遮断するものであってもよく、例えば、ノイズ抑制層３に入射した電磁波を反射させることにより遮断（遮蔽）する反射層と、ノイズ抑制層３に入射した電磁波を吸収することにより遮断（遮蔽）する吸収層とが挙げられる。
【０１２０】
以下、反射層および吸収層について、それぞれ、説明する。
反射層は、反射層に入射した電磁波を反射させることにより遮断するものである。
【０１２１】
この反射層としては、例えば、導電性接着剤層、金属薄膜層、金属メッシュ、ＩＴＯなどの導電性材料の表面処理等が挙げられる。これらを単独あるいは併用してもよい。これらの中でも、導電性接着剤層を用いることが好ましい。導電性接着剤層は、その膜厚（厚み）を比較的薄く設定したとしても、優れた電磁波シールド性を発揮するため、反射層として好ましく用いられる。
【０１２２】
前記導電性接着剤層としては、金属粉とバインダー樹脂とを含んで構成され、金属粉は例えば、金、銀、銅または銀コート銅、ニッケル等が挙げられる。これらの中でも、電磁波シールド性に優れているという理由から、銀を用いることが好ましい。
【０１２３】
前記導電性接着剤層における金属粉とバインダー樹脂との含有比率は、特に制限されないが、重量比で４０：６０〜９５：５であることが好ましく、５０：５０〜９０：１０であることがより好ましい。
【０１２４】
前記導電性接着剤層は、前記金属粉とバインダー樹脂との他に、さらに難燃剤、レベリング剤、粘度調整剤等を含有しても良い。
【０１２５】
反射層の厚みＴ（Ｅ１）は、特に限定されないが、１００ｎｍ以上、１００μｍ以下であることが好ましく、１μｍ以上、２０μｍ以下であることがより好ましい。
【０１２６】
吸収層は、吸収層に入射した電磁波を吸収し、熱エネルギーに変換することにより遮断するものである。
【０１２７】
この吸収層としては、例えば、金属粉および導電性高分子材料等の導電吸収材料を主材料として構成される導電吸収層、炭素系材料および導電性高分子材料等の誘電吸収材料を主材料として構成される誘電吸収層、軟磁性金属等の磁性吸収材料を主材料として構成される磁性吸収層等が挙げられ、これらを単独あるいは併用してもよい。
【０１２８】
なお、導電吸収層は、電界を印加した際に材料内部に流れる電流により、電磁エネルギーを熱エネルギーに変換することで、電磁波を吸収し、誘電吸収層は、電磁波を誘電損失により熱エネルギーに変換することで、電磁波を吸収し、磁性吸収層は、過電流損、ヒステレス損、磁気共鳴等の磁性損失により、電波のエネルギーを熱に変換して消費することで、電磁波を吸収する。
【０１２９】
これらの中でも、誘電吸収層、導電吸収層を用いることが好ましい。誘電吸収層および導電吸収層は、その膜厚（厚み）を比較的薄く設定したとしても、特に優れた電磁波シールド性を発揮するため、吸収層として好ましく用いられる。また、その層中に含まれる材料の粒子径が小さいことやその添加量も少なくできることから、その膜厚を比較的容易に薄く設定することができ、また軽量化も可能である。
【０１３０】
なお、導電吸収材料としては、例えば、導電性高分子、ＡＴＯ等の金属酸化物、導電性セラミックスが挙げられる。
【０１３１】
また、導電性高分子としては、例えば、ポリアセチレン、ポリピロール、ＰＥＤＯＴ（ｐｏｌｙ−ｅｔｈｙｌｅｎｅｄｉｏｘｙｔｈｉｏｐｈｅｎｅ）、ＰＥＤＯＴ／ＰＳＳ、ポリチオフェン、ポリアニリン、ポリ（ｐ−フェニレン）、ポリフルオレン、ポリカルバゾール、ポリシランまたはこれらの誘導体等が挙げられ、これらのうちの１種または２種以上を組み合わせて用いることができる。
誘電吸収材料としては、炭素系材料、導電性高分子、セラミック材料等が挙げられる。
【０１３２】
また、炭素系材料としては、例えば、単層カーボンナノチューブ、多層カーボンナノチューブのようなカーボンナノチューブ、カーボンナノファイバー、ＣＮナノチューブ、ＣＮナノファイバー、ＢＣＮナノチューブ、ＢＣＮナノファイバー、グラフェンや、カーボンマイクロコイル、カーボンナノコイル、カーボンナノホーン、カーボンナノウォールのような炭素等が挙げられ、これらのうちの１種または２種以上を組み合わせて用いることができる。
【０１３３】
セラミック材料としては、チタン酸バリウム、ペロブスカイト型チタン酸ジルコン酸バリウムカルシウム結晶粒子、チタニア、アルミナ、ジルコニア、炭化ケイ素および窒化アルミニウム等が挙げられこれらのうちの１種または２種以上を組み合わせて用いることができる。
【０１３４】
さらに、磁性吸収材料としては、例えば、鉄、ケイ素鋼、磁性ステンレス（Ｆｅ−Ｃｒ−Ａｌ−Ｓｉ合金）、センダスト（Ｆｅ−Ｓｉ−Ａｌ合金）、パーマロイ（Ｆｅ−Ｎｉ合金）、ケイ素銅（Ｆｅ−Ｃｕ−Ｓｉ合金）、Ｆｅ−Ｓｉ合金、Ｆｅ−Ｓｉ−Ｂ（−Ｃｕ−Ｎｂ）合金のような軟磁性金属、フェライト等が挙げられる。
【０１３５】
吸収層の厚みＴ（Ｅ２）は、特に限定されないが、１μｍ以上、３００μｍ以下であることが好ましく、２μｍ以上、１００μｍ以下であることがより好ましい。
【０１３６】
［４−２］次に、図３（ｄ）に示すように、電子部品封止体２９０に貼付された電磁波シールド用フィルム３００から、剥離層１（絶縁層）を剥離する。
【０１３７】
すなわち、電磁波シールド用フィルム３００を用いたノイズ抑制層３の形成の後、剥離層１をノイズ抑制層３から剥離させる。
【０１３８】
この剥離層１の剥離では、電磁波シールド用フィルム３００における剥離層１とノイズ抑制層３との界面において、剥離が生じ、その結果、ノイズ抑制層３から剥離層１が剥離される。これにより、ノイズ抑制層３から剥離層１を剥離した状態で、ノイズ抑制層３により電子部品封止体２９０の上面および側面、ならびに、被覆部２２の側面の一部が被覆される。
【０１３９】
したがって、被覆部２２、配線２３およびバンプ２１を介して樹脂構造体１１０上に貼付された状態で、ノイズ抑制層３が上面および側面に設けられた電子部品封止体２９０が一括して複数形成される。
【０１４０】
また、剥離層１を剥離する方法としては、特に限定されないが、例えば、手作業による剥離が好ましい。
【０１４１】
この手作業による剥離では、例えば、まず、剥離層１の一方の端部を把持し、この把持した端部から剥離層１をノイズ抑制層３から引き剥がし、次いで、この端部から中央部へさらには他方の端部へと順次剥離層１を引き剥がすことにより、ノイズ抑制層３から剥離層１が剥離される。
【０１４２】
剥離する温度は、１８０℃以下であることが好ましく、より好ましくは１６５℃以下、さらに好ましくは１５０℃以下である。
【０１４３】
以上のような工程［４−１］および工程［４−２］を経ることにより、ノイズ抑制層３から剥離層１を剥離した状態で、ノイズ抑制層３により電子部品封止体２９０の上面および側面、ならびに、被覆部２２の側面の一部を被覆することができる。
【０１４４】
以上のような切断工程［４］において、樹脂構造体１１０が備える凹部１０３内にバンプ２１が収納されていることから、ノイズ抑制層３を形成する際に、バンプ２１を確実に保護することができる。
【０１４５】
［５］次に、図４（ａ）に示すように、電子部品封止体２９０の下面側に形成された被覆部２２から樹脂構造体１１０を離脱させる（離脱工程）。
【０１４６】
この被覆部２２からの樹脂構造体１１０の離脱は、例えば、樹脂構造体１１０の一端を手（または治具）で持ち、一端から他端に向かって、順次、引き剥がすことにより実施することができる。
【０１４７】
なお、本工程［５］における、被覆部２２から樹脂構造体１１０の剥離（離脱工程）は、次工程［６］における粘着テープ１００の形成に先立って行われていればよく、本工程［５］において実施する場合の他、前記工程［４−２］に先立って行うようにしてもよい。
【０１４８】
［６］次に、基材４と、基材４に積層された粘着層２とを有する粘着テープ１００を用意し、図４（ｂ）に示すように、粘着テープ１００を、電子部品封止体２９０に形成されたノイズ抑制層３側（上面側）で、粘着層２を電子部品封止体２９０側にして、ノイズ抑制層３に積層（貼付）する（貼付工程）。
【０１４９】
すなわち、本工程［６］により、次工程［７］（個片化工程）に先立って、電子部品封止体２９０に形成されたノイズ抑制層３の上面側に、基材４と粘着層２とを有する粘着テープ１００を、粘着層２を電子部品封止体２９０側にして貼付する貼付工程が構成される。
【０１５０】
この電子部品封止体２９０に形成されたノイズ抑制層３への粘着テープ１００の貼付は、例えば、図示しないダイサーテーブルの上に、粘着テープ１００を設置し、電子部品封止体２９０のノイズ抑制層３側の面を、粘着層２の上に置き、軽く押圧することにより行うことができる。なお、粘着テープ１００に電子部品封止体２９０に設けられたノイズ抑制層３を予め貼着した後に、ダイサーテーブルに設置しても良い。
【０１５１】
粘着テープ１００（ダイシングテープ）は、粘着層２を介して基材４により、ノイズ抑制層３が設けられた電子部品封止体２９０を支持するとともに、粘着層２にエネルギーを付与することで、粘着層２のノイズ抑制層３に対する粘着性が低下する機能を有するものである。
【０１５２】
かかる構成の粘着テープ１００において、基材４は、主として樹脂材料から成り、粘着層２およびノイズ抑制層３を介して基材４上に貼付された電子部品封止体２９０を支持し得る程度の硬度を有するものが用いられ、この樹脂材料としては、例えば、ポリエチレン、ポリプロピレン、ポリオレフィン系樹脂、アイオノマー、オレフィン系共重合体、ポリエステル系樹脂、ポリエーテルケトン等が挙げられ、これらのうちの１種または２種以上を組み合わせて用いることができる。
【０１５３】
粘着層２は、このものに対するエネルギーの付与により電子部品封止体２９０に設けられたノイズ抑制層３への粘着性が低下し、これにより、粘着層２とノイズ抑制層３との間で容易に剥離を生じさせ得る状態となるものである。
【０１５４】
かかる機能を備える粘着層２は、例えば、（１）粘着性を有するベース樹脂と、（２）粘着層２を硬化させる硬化性樹脂とを主材料として含有する樹脂組成物で構成される。
【０１５５】
このようなベース樹脂（１）としては、例えば、アクリル系樹脂（粘着剤）、シリコーン系樹脂（粘着剤）、ポリエステル系樹脂（粘着剤）、ポリ酢酸ビニル系樹脂（粘着剤）、ポリビニルエーテル系樹脂（粘着剤）またはウレタン系樹脂（粘着剤）のような粘着層成分として用いられる公知のものが挙げられる。
【０１５６】
また、硬化性樹脂（２）は、例えば、エネルギーの付与により硬化する硬化性を備えるものである。この硬化によってベース樹脂が硬化性樹脂の架橋構造に取り込まれた結果、粘着層２の粘着力が低下する。
【０１５７】
このような硬化性樹脂としては、例えば、紫外線、電子線等のエネルギー線の照射によって三次元架橋可能な重合性炭素−炭素二重結合を、官能基として少なくとも２個以上分子内に有する低分子量化合物が用いられる。
【０１５８】
また、粘着層２を構成する樹脂組成物には、上述した各成分（１）、（２）の他に他の成分として、光重合開始剤、架橋剤、帯電防止剤、粘着付与剤、老化防止剤、粘着調整剤、充填材、着色剤、難燃剤、軟化剤、酸化防止剤、可塑剤、界面活性剤等のうちの少なくとも１種が含まれていてもよい。
【０１５９】
なお、本工程［６］では、粘着テープ１００の貼付を、電子部品封止体２９０に形成されたノイズ抑制層３に対して実施する場合について説明したが、この場合に限定されず、電子部品封止体２９０に形成された被覆部２２およびバンプ２１に対して実施するようにしても良い。
【０１６０】
［７］次に、粘着テープ１００がノイズ抑制層３を介して貼付された電子部品封止体２９０を、例えば、ウエハリング等を用いて固定し、その後、ダイシングソー（ブレード）を用いて、形成すべき半導体装置２０毎に対応する位置、すなわち、半導体装置２０が備えるべき１つの半導体素子２６と２つの電子素子２８とが封止部２７で封止される領域毎に対応して形成された凹部６２を、厚さ方向に切断（ダイシング）して、被覆部２２を貫通させる（個片化工程；図４（ｃ）参照）。
【０１６１】
これにより、電子部品封止連結体２７０が、１つの半導体素子２６と２つの電子素子２８との組み合わせ毎に対応して個片化された電子部品封止体２９０を備える半導体装置２０が粘着テープ１００上に貼付された状態で得られる。すなわち、被覆部２２を切断することにより、個片化された半導体装置２０を、粘着テープ１００上に貼付された状態で得ることができる。
【０１６２】
［８］次に、図４（ｄ）に示すように、ノイズ抑制層３が設けられた半導体装置２０から粘着テープ１００を剥離する（剥離工程）。
【０１６３】
この剥離工程では、粘着テープ１００が備える粘着層２にエネルギーを付与することで、粘着層２の半導体装置２０に対する粘着性を低下させて、粘着層２と半導体装置２０との間で剥離が生じる状態とした後、半導体装置２０から粘着テープ１００を剥離する。
【０１６４】
粘着層２にエネルギーを付与する方法としては、特に限定されないが、例えば、粘着層２にエネルギー線を照射する方法、粘着層２を加熱する方法等が挙げられるが、中でも、粘着層２にエネルギー線を樹脂構造体１１０の基材４側から照射する方法を用いるのが好ましい。
【０１６５】
かかる方法は、電子部品封止体２９０が不要な熱履歴を経る必要がなく、また、粘着層２に対して比較的簡単に効率よくエネルギーを付与することができるので、エネルギーを付与する方法として好適に用いられる。
【０１６６】
また、エネルギー線としては、例えば、紫外線、電子線、イオンビームのような粒子線等や、またはこれらのエネルギー線を２種以上組み合わせたものが挙げられる。これらの中でも、特に、紫外線を用いるのが好ましい。紫外線によれば、粘着層２のノイズ抑制層３に対する粘着性を効率よく低下させることができる。
【０１６７】
これにより、半導体装置２０を一括して複数形成することができることから、半導体装置２０の生産性の向上が図られる。
以上のような工程を経て、半導体装置２０が製造される。
【０１６８】
なお、上述した電子装置の製造方法を適用して製造される半導体装置２０は、例えば、携帯電話、医療機器、デジタルカメラ、ビデオカメラ、カーナビゲーション、パーソナルコンピュータ、ゲーム機、液晶テレビ、液晶ディスプレイ、有機エレクトロルミネッセンスディスプレイ、プリンタ等に広く用いることができる。
【０１６９】
以上、本発明の樹脂構造体について説明したが、本発明は、これらに限定されるものではない。
【０１７０】
例えば、前記実施形態では、上述した構成の半導体装置２０の製造に、本発明の樹脂構造体を用いる場合について説明したが、かかる構成の装置の製造に用いるばかりでなく、例えば、ＣＳＰ（Ｃｈｉｐ  Ｓｉｚｅ  Ｐａｃｋａｇｅ）型の半導体装置、コンデンサー、コイルのような電子部品を単独で備える電子装置等の製造に用いることができる。
【０１７１】
また、前記実施形態では、上述した構成の半導体装置２０の製造の際に、本発明の樹脂構造体１１０が備える凹部１０３内に、バンプ２１を収納物として収納することで、バンプ２１を保護する場合について説明したが、凹部１０３内に収納される収納物は、バンプ２１に限定されず、例えば、Ｃｕピラー、Ａｕスタッドバンプのような導電体を収納物として収納し、これら導電体を保護することもできる。
【０１７２】
さらに、前記実施形態では、本発明の樹脂構造体１１０において、基材１０１の上面に凸部１０２が形成されている場合について説明したが、凸部１０２は、基材１０１の上面および下面の双方に形成されているものであってもよい。このように凸部１０２を基材１０１の両面に形成する構成とすることで、凹部１０３も基材１０１の両面に画成されることから、基材１０１の両面において、収納物（バンプ２１等）を保護することができる。
【符号の説明】
【０１７３】
１          剥離層
２          粘着層
３          ノイズ抑制層
４          基材
２０        半導体装置
２１        バンプ
２２        被覆部
２３        配線
２５        インターポーザー
２５’      シート材
２６        半導体素子
２７        封止部
２８        電子素子
６２        凹部
１００      粘着テープ
１０１      基材
１０２      凸部
１０３      凹部
１１０      樹脂構造体
２２１      開口部
２７０      電子部品封止連結体
２９０      電子部品封止体
３００      電磁波シールド用フィルム
【図１】
2020088288.tif 000003
【図２】
2020088288.tif 000004
【図３】
2020088288.tif 000005
【図４】
2020088288.tif 000006
【図５】
2020088288.tif 000007